(57)【特許請求の範囲】
【請求項１】
リーダ／ライタにより情報の書込みや読出しが行われる非接触式情報記憶媒体であって、所定の巻回数を有する単一のアンテナと、前記アンテナを介して得られる信号のレベルを容量の可変によって変化させるバラクタを用いた可変手段と、前記容量を可変とするための複数の電圧値が格納されているとともに、前記電圧値に応じて変化する前記信号のレベルが書込まれる補助メモリと、前記情報の書込みや読出しが行われるとき、前記複数の電圧値のそれぞれに対応する電圧を前記可変手段に与えて前記信号のレベルを検出した後、前記可変手段への電圧を、最大となる前記信号のレベルに応じたものとする制御手段とを備え、前記制御手段は、前記与えた電圧値に対応する前記信号のレベルを前記補助メモリに書込んだ後、前記可変手段への電圧を固定することを特徴とする非接触式情報記憶媒体。
【請求項２】
前記バラクタは、前記制御部より供給される電圧に応じて容量が変えられる可変容量ダイオードであり、前記アンテナと並列な回路を形成することを特徴とする請求項１に記載の非接触式情報記憶媒体。
【発明の詳細な説明】
【０００１】
【発明の属する技術分野】
本発明は、非接触式により情報の書込みや読出しが行われる非接触式情報記憶媒体に関する。
【０００２】
【従来の技術】
【０００３】
非接触式により情報の書込みや読出しが行われる非接触式情報記憶媒体として、ラベル、タグ、カードの何れかの形態をとるものがある。
【０００４】
これらの非接触式情報記憶媒体は、情報の書込みや読出しを行う場合、マイクロ波方式や光方式等が用いられている。
【０００５】
図３は、非接触式情報記憶媒体の一例としてのマイクロ波方式の非接触式ラベルを示すものである。同図に示す非接触式ラベル１０は、巻回数の異なるアンテナ１１，１２及びコンデンサ１３が設けられている。これらのアンテナ１１，１２は、非接触式ラベル１０の近傍に金属片等が存在すると、アンテナ１１，１２と金属片等との間の浮遊容量により同調点が変化することにより感度が低下し、図示しないリーダ／ライタとの交信距離が短くなるという不具合を解消するために２個とされている。
【０００６】
何れかのアンテナ１１，１２によって受信されたマイクロ波は、整流回路１４によって整流された後、電源レギュレータ１５によって電力とされる。また、その受信されたマイクロ波は、クロック再生回路１６を経て復調回路１７に与えられると、復調回路１７により復調された後、通信ロジック回路１８を経てメモリ１９に書込まれる。これに対し、メモリ１９に書込まれている情報の読出しが行われるとき、通信ロジック回路１８により、メモリ１９に書込まれている情報の読出しが行われ、変調回路２０によって変調された後、何れかのアンテナ１１，１２から送信される。
【０００７】
【発明が解決しようとする課題】
このように、従来の非接触式ラベル１０は、上述した同調点の変化による不具合を解消するために、容量値が固定とされるコンデンサ１３に対して巻回数の異なるアンテナ１１，１２を複数設ける必要がある。ところが、このようにアンテナ１１，１２を複数設けるようにすると、非接触式ラベル１０自体の寸法が大きくなってしまうという問題があった。
【０００８】
本発明は、このような状況に鑑みてなされたものであり、寸法の大型化を招くことなく、常に最良の感度を得ることができる非接触式情報記憶媒体を提供することができるようにするものである。
【０００９】
【課題を解決するための手段】
請求項１に記載の非接触式情報記憶媒体は、リーダ／ライタにより情報の書込みや読出しが行われる非接触式情報記憶媒体であって、所定の巻回数を有する単一のアンテナと、アンテナを介して得られる信号のレベルを容量の可変によって変化させるバラクタを用いた可変手段と、容量を可変とするための複数の電圧値が格納されているとともに、電圧値に応じて変化する信号のレベルが書込まれる補助メモリと、情報の書込みや読出しが行われるとき、複数の電圧値のそれぞれに対応する電圧を可変手段に与えて信号のレベルを検出した後、可変手段への電圧を、最大となる信号のレベルに応じたものとする制御手段とを備え、制御手段は、与えた電圧値に対応する信号のレベルを補助メモリに書込んだ後、可変手段への電圧を固定することを特徴とする。
また、バラクタは、制御部より供給される電圧に応じて容量が変えられる可変容量ダイオードを用い、アンテナと並列な回路を形成するようにできる。
本発明に係る非接触式情報記憶媒体においては、リーダ／ライタにより情報の書込みや読出しが行われるとき、制御手段により、補助メモリに格納されている複数の電圧値のそれぞれに対応する電圧を可変手段に与え、単一のアンテナを介して得られる信号のレベルを検出した後、可変手段への電圧を最大となる信号のレベルに対応するものに固定するようにする。
【００１０】
【発明の実施の形態】
以下、本発明の実施の形態について説明する。
【００１１】
図１は、本発明の非接触式情報記憶媒体を非接触式ラベルに適用した場合の一実施の形態を示す図、図２は、図１の非接触式ラベルの動作を説明するためのフローチャートである。なお、以下に説明する図において、図３と共通する部分には同一符号を付すものとする。
【００１２】
図１に示す非接触式ラベル１０Ａは、アンテナ１２、バラクタ１３Ａ、整流回路１４、電源レギュレータ１５、クロック再生回路１６、復調回路１７、通信ロジック回路１８、メモリ１９、変調回路２０、制御部２１、補助メモリ２２を備えている。
【００１３】
アンテナ１２は、所定の巻回数を有する単一のものである。バラクタ１３Ａは、制御部２１から供給される電圧に応じてその容量が変えられる可変容量ダイオードである。
【００１４】
整流回路１４は、アンテナ１２を介して取込んだマイクロ波を整流するものである。電源レギュレータ１５は、整流されたマイクロ波から電力を生成するものである。
【００１５】
クロック再生回路１６は、マイクロ波に含まれるクロックを再生するものである。復調回路１７は、クロック再生回路１６によって再生された信号を復調するものである。
【００１６】
通信ロジック回路１８は、復調回路１７によって復調される情報をメモリ１９に書込むものである。メモリ１９は、たとえば強誘電体不揮発性のもので構成されているものであり、情報の書込む及び読出しが可能とされている。変調回路２０は、通信ロジック回路１８によって読出されるメモリ１９内の情報に対して変調をかけるものである。
【００１７】
制御部２１は、図示しないリーダ／ライタにより情報の書込みや読出しが行われるとき、補助メモリ２２に格納されている下限値〜上限値の範囲内の複数の電圧値に基づいてバラクタ１３Ａへの電圧を変化させるとともに、それぞれの電圧に応じた入力端子ａの信号レベルを補助メモリ２２に書込んだ後、バラクタ１３Ａへの電圧を最大となる信号レベルに対応するものに固定するものである。
【００１８】
補助メモリ２２は、バラクタ１３Ａへ与える下限値〜上限値の範囲内の複数電圧値を格納しているものである。また、補助メモリ２２には、制御部２１によって複数電圧値に応じた信号レベルが書込まれるようになっている。
【００１９】
次に、このような構成の非接触式ラベル１０Ａの動作について説明する。
【００２０】
まず、図示しないリーダ／ライタにより情報の書込みや読出しが行われるとき、電源レギュレータ１５により電力が生成される（ステップ２０１，２０２）。このとき、制御部２１により、補助メモリ２２に格納されている電圧値が下限値から順に読出されるととともに、その読出された電圧値の電圧がバラクタ１３Ａに与えられる（ステップ２０３，２０４）。
【００２１】
バラクタ１３Ａは供給される電圧に応じてその容量が変化し、その容量の変化に応じて入力端子ａの信号レベルが変化する。この変化する信号レベルは、バラクタ１３Ａは供給される電圧に応じて補助メモリ２２に書込まれる（ステップ２０５）。
【００２２】
バラクタ１３Ａへ供給される電圧が補助メモリ２２に格納されている上限値の電圧値のものに到達すると（ステップ２０６）、制御部２１によりそれぞれの電圧に応じた入力端子ａの信号レベルのうち、最大となる信号レベルが検出され（ステップ２０７）、その最大となる信号レベルに対応する電圧値に基づき、バラクタ１３Ａへの電圧が最大となる信号レベルに対応するものに固定される（ステップ２０８）。
【００２３】
これにより、バラクタ１３Ａは、最大の感度となる容量に固定される。
【００２４】
このように、本実施の形態では、図示しないリーダ／ライタにより情報の書込みや読出しが行われるとき、制御手段としての制御部２１により、補助メモリ２２に格納されている複数の電圧値のそれぞれに対応する電圧を可変手段としてのバラクタ１３Ａに与え、単一のアンテナ１２を介して得られる信号のレベルを検出した後、バラクタ１３Ａへの電圧を最大となる信号のレベルに対応するものに固定するようにしたので、寸法の大型化を招くことなく、常に最良の感度を得ることができる。
【００２５】
また、バラクタ１３Ａに与えられる電圧に応じて感度が変えられるため、非接触式ラベル１０Ａを金属体に貼着したり、非接触式ラベル１０Ａに金具が装着されたりしても何ら影響なく実用化が図れる。
【００２６】
なお、本実施の形態では、制御部２１により補助メモリ２２に格納されている電圧値が下限値から順に読出される場合について説明したが、この例に限らず、上限値から順に読出すようにしてもよい。
【００２７】
また、本実施の形態では、本発明の非接触式情報記憶媒体を、非接触式ラベル１０Ａに適用した場合について説明したが、この例に限らず、非接触式タグ、非接触式カード等の他の非接触式情報記憶媒体に適用してもよい。
【００２８】
【発明の効果】
以上の如く本発明に係る非接触式情報記憶媒体によれば、リーダ／ライタにより情報の書込みや読出しが行われるとき、制御手段により、補助メモリに格納されている複数の電圧値のそれぞれに対応する電圧を可変手段に与え、単一のアンテナを介して得られる信号のレベルを検出した後、可変手段への電圧を最大となる信号のレベルに対応するものに固定するようにしたので、寸法の大型化を招くことなく、常に最良の感度を得ることができる。
【図面の簡単な説明】
【図１】本発明の非接触式情報記憶媒体を非接触式ラベルに適用した場合の一実施の形態を示す図である。
【図２】図１の非接触式ラベルの動作を説明するためのフローチャートである。
【図３】従来の非接触式ラベルを説明するための図である。
【符号の説明】
１０Ａ  非接触式ラベル
１２  アンテナ
１３Ａ  バラクタ
１４  整流回路
１５  電源レギュレータ
１６  クロック再生回路
１７  復調回路
１８  通信ロジック回路
１９  メモリ
２０  変調回路
２１  制御部
２２  補助メモリ
ａ  入力端子
【図１】
0003913029.tif 000002
【図２】
0003913029.tif 000003
【図３】
0003913029.tif 000004